(57)【特許請求の範囲】
【請求項１】
版を用いて所定の情報をシートに印刷する輪転印刷機と、読者が所望する特定の情報をシート表面の特定箇所にデジタル印刷するデジタル印刷機と、前記輪転印刷機と前記デジタル印刷機を駆動制御する制御装置とを備え、
前記デジタル印刷機は、前記輪転印刷機における折機に配置されると共に、前記折機の折胴より下流側に配置され、印刷速度から減速した状態のシートに特定の情報を印刷することを特徴とする印刷機。
【請求項２】
前記デジタル印刷機は、前記輪転印刷機における折機に配置されると共に、前記折機の折胴より下流側であって、排紙コンベアより上流側に配置され、印刷速度から減速した状態のシートに特定の情報を印刷することを特徴とする請求項１に記載の印刷機。
【請求項３】
前記デジタル印刷機は、前記輪転印刷機における折機に配置されると共に、前記折機の折胴より下流側であって、羽根車より上流側に配置され、印刷速度から減速した状態のシートに特定の情報を印刷することを特徴とする請求項１に記載の印刷機。
【請求項４】
前記デジタル印刷機は、表紙に読者が所望する記事または広告の索引を印刷することを特徴とする請求項１から３のいずれか一つに記載の印刷機。
【請求項５】
前記デジタル印刷機は、表紙に読者ごとの個別の索引を印刷することを特徴とする請求項４に記載の印刷機。
【請求項６】
前記デジタル印刷機は、読者が関心のある記事や広告を考慮して索引を印刷することを特徴とする請求項４に記載の印刷機。
【請求項７】
前記デジタル印刷機は、読者が関心のある記事や広告の順に索引を印刷することを特徴とする請求項４に記載の印刷機。
【請求項８】
前記デジタル印刷機は、索引部分の印刷部数を管理することを特徴とする請求項４に記載の印刷機。
【請求項９】
前記デジタル印刷機は、所定の情報を分類して記憶する情報データベースと、読者が所望する特定の情報の分類を記憶する読者データベースと、前記情報データベースの情報と前記読者データベースの情報とに基づいて情報を選択してレイアウトを行う印刷データ生成手段と、該印刷データ生成手段によりレイアウトされた情報をデジタル印刷するデジタル印刷機本体とを有することを特徴とする請求項１から８のいずれか一つに記載の印刷機。
【請求項１０】
前記印刷データ生成手段は、レイアウトされた情報の詳細をネットワークを通して閲覧可能な識別子を生成することを特徴とする請求項９に記載の印刷機。
【請求項１１】
前記デジタル印刷機は、読者が所望する特定の情報と読者識別情報をデジタル印刷し、この読者識別情報を読み取ることで、印刷物を配送先別に仕分けする仕分手段を設けることを特徴とする請求項１から１０のいずれか一つに記載の印刷機。
【請求項１２】
輪転印刷機により版を用いて所定の情報をシートに印刷すると共に、デジタル印刷機を用いて読者が所望する特定の情報をシート表面の特定箇所にデジタル印刷する印刷方法であって、
前記デジタル印刷機は、前記輪転印刷機における折機に配置されると共に、前記折機の折胴より下流側に配置され、印刷速度から減速した状態のシートに特定の情報を印刷することを特徴とする印刷方法。
【請求項１３】
前記デジタル印刷機は、前記輪転印刷機により形成され、且つ、印刷速度から減速した状態の折帖に特定の情報を印刷することを特徴とする請求項１２に記載の印刷方法。
【請求項１４】
前記デジタル印刷機は、前記輪転印刷機における折機に配置されると共に、前記折機の折胴より下流側であって、排紙コンベアより上流側に配置され、印刷速度から減速した状態のシートに特定の情報を印刷することを特徴とする請求項１２に記載の印刷方法。
【請求項１５】
前記デジタル印刷機は、前記輪転印刷機における折機に配置されると共に、前記折機の折胴より下流側であって、羽根車より上流側に配置され、印刷速度から減速した状態のシートに特定の情報を印刷することを特徴とする請求項１２に記載の印刷方法。
【発明の詳細な説明】
【技術分野】
【０００１】
本発明は、２種類の印刷機を用いて新聞や広告、雑誌などの印刷物を作成する印刷機及び印刷方法に関するものである。
【背景技術】
【０００２】
例えば、新聞はオフセット輪転印刷機により印刷される。この新聞用オフセット輪転印刷機は、複数の給紙装置と、複数の印刷ユニットと、ターンバー装置と、折機とから構成されている。従って、各給紙装置から印刷ユニットにウェブが供給されると、各ウェブに対して印刷が施される。そして、ターンバー装置で複数のウェブの走行ルートが変更されてから所定の順番に重ね合わされる。その後、折機にて、ウェブが縦折りされてから所定の長さで横裁断され、横折されることで折帖が形成され、新聞として排紙される。
【０００３】
このような新聞用オフセット輪転印刷機における印刷ユニットでは、記事や広告を印刷するための刷版が必要であり、この刷版を版胴に巻き付けて印刷を行う。そのため、記事や広告などを差し替えるためには、印刷ユニット停止して刷版を交換する必要がある。そのため、新聞印刷の生産性が低下したり、損紙が発生してしまうなどの問題がある。
【０００４】
また、読者が特定の分野に関心を持って新聞を読む場合、紙面ページにより記事、広告のおおまかな分類はあるものの、詳細には自身で紙面内容を全て確認しなければならない。
【０００５】
なお、下記特許文献１、２に、新聞用オフセット輪転印刷機にて、印刷ユニットとは別にインクジェット印刷ユニットを設け、印刷機を停止することなく新聞の印刷を連続的に行うものが記載されている。
【０００６】
【特許文献１】特許第２９４６２０１号公報
【特許文献２】特開平０８−２９０５４３号公報
【発明の開示】
【発明が解決しようとする課題】
【０００７】
上述した従来の新聞用オフセット輪転印刷機では、印刷ユニットとは別にインクジェット印刷ユニットを設けることから、記事や広告などの差し替えに対して、インクジェット印刷ユニットで対応することができ、印刷機を停止することなく新聞の印刷を連続的に行うことができる。しかし輪転印刷機上に搭載したインクジェット印刷ユニットで広い面積の記事や広告を印刷する場合、多数のユニットを並列に設けて高速化を図る必要があり、設備投資に費用を要する。またインクジェット印刷ユニットの印刷費用は輪転印刷機に比べて高価であり、対費用効果を得ることが難しい。
【０００８】
本発明は上述した課題を解決するものであり、印刷物の生産性の向上を図る印刷機及び印刷方法を提供することを目的とする。
【課題を解決するための手段】
【０００９】
上記の目的を達成するための請求項１の発明の印刷機は、版を用いて所定の情報をシートに印刷する輪転印刷機と、読者が所望する特定の情報をシート表面の特定箇所にデジタル印刷するデジタル印刷機と、前記輪転印刷機と前記デジタル印刷機を駆動制御する制御装置とを備え、前記デジタル印刷機は、前記輪転印刷機における折機に配置されると共に、前記折機の折胴より下流側に配置され、印刷速度から減速した状態のシートに特定の情報を印刷することを特徴とするものである。
請求項２の発明の印刷機では、前記デジタル印刷機は、前記輪転印刷機における折機に配置されると共に、前記折機の折胴より下流側であって、排紙コンベアより上流側に配置され、印刷速度から減速した状態のシートに特定の情報を印刷することを特徴としている。
請求項３の発明の印刷機では、前記デジタル印刷機は、前記輪転印刷機における折機に配置されると共に、前記折機の折胴より下流側であって、羽根車より上流側に配置され、印刷速度から減速した状態のシートに特定の情報を印刷することを特徴としている。
請求項４の発明の印刷機では、前記デジタル印刷機は、表紙に読者が所望する記事または広告の索引を印刷することを特徴としている。
請求項５の発明の印刷機では、前記デジタル印刷機は、表紙に読者ごとの個別の索引を印刷することを特徴としている。
請求項６の発明の印刷機では、前記デジタル印刷機は、読者が関心のある記事や広告を考慮して索引を印刷することを特徴としている。
請求項７の発明の印刷機では、前記デジタル印刷機は、読者が関心のある記事や広告の順に索引を印刷することを特徴としている。
請求項８の発明の印刷機では、前記デジタル印刷機は、索引部分の印刷部数を管理することを特徴としている。
【００１０】
請求項９の発明の印刷機では、前記デジタル印刷機は、所定の情報を分類して記憶する情報データベースと、読者が所望する特定の情報の分類を記憶する読者データベースと、前記情報データベースの情報と前記読者データベースの情報とに基づいて情報を選択してレイアウトを行う印刷データ生成手段と、該印刷データ生成手段によりレイアウトされた情報及び読者識別情報をデジタル印刷するデジタル印刷機本体とを有することを特徴としている。
【００１１】
請求項１０の発明の印刷機では、前記印刷データ生成手段は、レイアウトされた情報の詳細をネットワークを通して閲覧可能な識別子を生成することを特徴としている。
【００１２】
請求項１１の発明の印刷機では、読者が所望する特定の情報と読者識別情報をデジタル印刷し、この読者識別情報を読み取ることで、印刷物を配送先別に仕分けする仕分手段を設けることを特徴としている。
【００１５】
請求項１２の発明の印刷方法は、輪転印刷機により版を用いて所定の情報をシートに印刷すると共に、デジタル印刷機を用いて読者が所望する特定の情報をシート表面の特定箇所にデジタル印刷することを特徴とするものである。
【００１６】
請求項１３の発明の印刷方法では、前記デジタル印刷機は、前記輪転印刷機により形成され、且つ、印刷速度から減速した状態の折帖に特定の情報を印刷する印刷方法であって、前記デジタル印刷機は、前記輪転印刷機における折機に配置されると共に、前記折機の折胴より下流側に配置され、印刷速度から減速した状態のシートに特定の情報を印刷することを特徴としている。
請求項１４の発明の印刷方法では、前記デジタル印刷機は、前記輪転印刷機における折機に配置されると共に、前記折機の折胴より下流側であって、排紙コンベアより上流側に配置され、印刷速度から減速した状態のシートに特定の情報を印刷することを特徴としている。
請求項１５の発明の印刷方法では、前記デジタル印刷機は、前記輪転印刷機における折機に配置されると共に、前記折機の折胴より下流側であって、羽根車より上流側に配置され、印刷速度から減速した状態のシートに特定の情報を印刷することを特徴としている。
【発明の効果】
【００１７】
請求項１の発明の印刷機によれば、版を用いて所定の情報をシートに印刷する輪転印刷機と、読者が所望する特定の情報をシート表面の特定箇所にデジタル印刷するデジタル印刷機と、輪転印刷機とデジタル印刷機を駆動制御する制御装置とを設けている。従って、デジタル印刷機は、シート表面の特定箇所だけに読者が所望する特定の情報を印刷することから、印刷機を停止することなく、また、印刷速度が低下することなく、印刷物の生産性を向上することができる。
また、デジタル印刷機を輪転印刷機における折機に配置すると共に、折機の折胴より下流側に配置し、印刷速度から減速した状態のシートに特定の情報を印刷している。従って、印刷ユニットの直後にデジタル印刷機を配置する場合に比べて、より低速で走行するシートにデジタル印刷機を用いた情報を印刷することができ、低速なデジタル印刷機であってもインライン印刷を行うことができる。
請求項２の発明の印刷機によれば、デジタル印刷機を輪転印刷機における折機に配置すると共に、折機の折胴より下流側であって、排紙コンベアより上流側に配置し、印刷速度から減速した状態のシートに特定の情報を印刷している。
請求項３の発明の印刷機によれば、デジタル印刷機を輪転印刷機における折機に配置すると共に、折機の折胴より下流側であって、羽根車より上流側に配置し、印刷速度から減速した状態のシートに特定の情報を印刷している。
また、請求項４の発明の印刷機によれば、デジタル印刷機が表紙に読者が所望する記事または広告の索引を印刷している。
請求項５の発明の印刷機によれば、デジタル印刷機は表紙に読者ごとの個別の索引を印刷している。
請求項６の発明の印刷機によれば、デジタル印刷機は読者が関心のある記事や広告を考慮して索引を印刷している。
請求項７の発明の印刷機によれば、デジタル印刷機は読者が関心のある記事や広告の順に索引を印刷している。
請求項８の発明の印刷機によれば、デジタル印刷機は索引部分の印刷部数を管理している。
従って、個人別やグループ別、地域別などの新聞を容易に作成することができ、提供する記事や広告のパーソナル化を可能とすることができる。この結果、読者固有の索引を読者データベースを用いて印刷することで、訴求対象に合致した広告に読者を誘引することが可能であり、広告の対費用効果を向上させることができる。
【００１８】
請求項９の発明の印刷機によれば、デジタル印刷機として、所定の情報を分類して記憶する情報データベースと、読者が所望する特定の情報の分類を記憶する読者データベースと、情報データベースの情報と読者データベースの情報とに基づいて情報を選択してレイアウトを行う印刷データ生成手段と、印刷データ生成手段によりレイアウトされた情報をデジタル印刷するデジタル印刷機本体を設けるので、読者が所望する特定の情報のレイアウトを容易に行うことができ、編集作業の効率化を可能とすることができる。
【００１９】
請求項１０の発明の印刷機によれば、印刷データ生成手段は、レイアウトされた情報の詳細をネットワークを通して閲覧可能な識別子を生成するので、読者が読取装置を用いて識別子を読み取り、この識別子で指示されるネットワークに接続することで、レイアウトされた情報の詳細を収集したり、情報を発信したりすることができ、印刷物の利便性を向上することができる。
【００２０】
請求項１１の発明の印刷機によれば、読者が所望する特定の情報と読者識別情報をデジタル印刷し、この読者識別情報を読み取ることで、印刷物を配送先別に仕分けする仕分手段を設けるので、シート表面に読者識別情報を印刷することから、印刷物と読者との対応を容易に取ることができ、仕分手段により読者識別情報を読み取ることで、容易に配送先別に仕分けすることができ、配送作業の作業性を向上することができる。
【００２３】
請求項１２の発明の印刷方法によれば、輪転印刷機により版を用いて所定の情報をシートに印刷すると共に、デジタル印刷機を用いて読者が所望する特定の情報をシート表面の特定箇所にデジタル印刷するようにしている。従って、デジタル印刷機は、シート表面の特定箇所だけに読者が所望する特定の情報を印刷することから、印刷機を停止することなく、印刷物の生産性を向上することができる。
また、デジタル印刷機を輪転印刷機における折機に配置すると共に、折機の折胴より下流側に配置し、印刷速度から減速した状態のシートに特定の情報を印刷している。従って、印刷ユニットの直後にデジタル印刷機を配置する場合に比べて、より低速で走行するシートにデジタル印刷機を用いた情報を印刷することができ、低速なデジタル印刷機であってもインライン印刷を行うことができる。
【００２４】
請求項１３の発明の印刷方法によれば、デジタル印刷機は輪転印刷機により形成され、且つ、印刷速度から減速した状態の折帖に特定の情報を印刷するので、印刷ユニットの直後にデジタル印刷機を配置する場合に比べて、より低速で走行する折帖にデジタル印刷機を用いた情報を印刷することができ、低速なデジタル印刷機であってもインライン印刷を行うことができる。
請求項１４の発明の印刷方法によれば、デジタル印刷機を輪転印刷機における折機に配置すると共に、折機の折胴より下流側であって、排紙コンベアより上流側に配置し、印刷速度から減速した状態のシートに特定の情報を印刷している。
請求項１５の発明の印刷方法によれば、デジタル印刷機を輪転印刷機における折機に配置すると共に、折機の折胴より下流側であって、羽根車より上流側に配置し、印刷速度から減速した状態のシートに特定の情報を印刷している。
【発明を実施するための最良の形態】
【００２５】
以下に添付図面を参照して、本発明に係る印刷機及び印刷方法の好適な実施例を詳細に説明する。なお、この実施例により本発明が限定されるものではない。
【実施例１】
【００２６】
図１は、本発明の実施例１に係る印刷機を表す概略構成図、図２は、実施例１の印刷機における印刷物の作成方法を表すフローチャートである。
【００２７】
実施例１の印刷機は、図１に示すように、印刷物としての新聞を作成する印刷機に適用したものである。即ち、この印刷機は、刷版を用いて所定の情報をウェブ（シート）に印刷するオフセット輪転印刷機１１と、読者が所望する特定の情報及び読者識別情報（読者識別コード）Ｃをウェブ表面の特定箇所にデジタル印刷するデジタル印刷機（オンデマンド印刷機）としてのプリンタ１２と、新聞を配送先別に仕分けする仕分手段としての発送システム１３から構成され、オフセット輪転印刷機１１及びプリンタ１２は、制御装置３１により駆動制御可能となっている。
【００２８】
オフセット輪転印刷機１１は、複数の給紙装置２１と、複数の印刷ユニット２２と、ターンバー装置２３と、折機２２とから構成されている。そして、各給紙装置２１には、それぞれウェブＷがロール状に巻かれた複数の巻取紙Ｒを保持する保持アーム２５が設けられ、この保持アーム２５を回動することで、巻取紙Ｒを給紙位置に回動することができる。また、この各給紙装置２１には、図示しない紙継装置が設けられており、給紙位置で繰り出されている巻取紙Ｒが残り少なくなると、この紙継装置により給紙位置にある巻取紙Ｒに対して、待機位置にある巻取紙Ｒを紙継することができる。
【００２９】
また、印刷ユニット２２には、両面４色印刷を行う多色刷印刷ユニット２６と、両面２色印刷を行う２色刷印刷ユニットと２７とが設けられている。この多色刷印刷ユニットと２６及び２色刷印刷ユニット２７は、各給紙装置２１から供給されたウェブＷに対して所定の印刷を行うことができる。なお、本実施例では、印刷ユニット２２を、多色刷印刷ユニットと２６と２色刷印刷ユニット２７により構成したが、この構成に限定されるものではない。例えば、両面単色印刷を行う両面単色刷ユニット、一面４色または２色印刷を行う多色刷印刷ユニットなど印刷物に応じて適宜各種ユニットを組み合わせて使用すればよい。
【００３０】
また、ターンバー装置２３には、図示しない複数のターンバーが設けられており、各印刷ユニットと２６，２７から送り出された各ウェブＷの走行ルートを変更し、所定の順番に重ね合わせることができる。折機２４は、ターンバー装置２３から搬送されたウェブＷを縦折りし、所定の長さで横裁断し、更に横折りして所望の折帖を形成した後に排紙するものである。
【００３１】
一方、プリンタ１２は、編集システムなどで作成したデータをそのまま受け取って印刷可能なデジタル印刷機であって、インクジェット方式、電子印刷方式など、描画方式は問わない。このプリンタ１２は、印刷ユニット１７におけるウェブＷの搬送方向の下流側に配置されている。
【００３２】
制御装置３１は、オフセット輪転印刷機１１を駆動制御する第１制御部３２と、プリンタ１２を駆動制御する第２制御部３３とを有しており、操作パネル３４が接続されている。第１制御部３２は、オフセット輪転印刷機１１における給紙装置２１、印刷ユニット２２、ターンバー装置２３、折機２２を駆動制御することで、新聞の表紙（第１面）の所定エリア（特定箇所）を除く全てを印刷するものである。この場合、新聞の表紙（第１面）を印刷する印刷ユニット２２の版胴には、新聞の表紙における所定エリア（特定箇所）が空白となる刷版（図示略）が装着されている。
【００３３】
第２制御部３３は、プリンタ１２を駆動制御することで、新聞の表紙（第１面）の所定エリアを印刷するものである。この所定エリアは、オフセット輪転印刷機１１の印刷ユニット２２にて、新聞の表紙のおける所定の空白エリアであって、プリンタ１２により、読者ごとの個別の索引（政治、経済、金融、スポーツ、芸能、文化、生活、社会などの記事や広告の索引）、そして、読者識別情報Ｃが記載される。また、この所定エリアには、ネットワークを通して情報の詳細を閲覧可能な識別子（１次元バーコード、２次元バーコードなど）Ｂが記載されている。加えて読者の氏名、住所も印刷することも可能であるが、個人情報保護の観点から識別コードのみにとどめてもよい。その場合でも、新聞配送担当者が識別コードの読取装置を携帯することで、円滑な配送は可能である。
【００３４】
この第２制御部３３には、情報データベース３５と読者データベース３６が接続されている。情報データベース３５は、所定の情報、つまり、記事や広告をカテゴリ（政治、経済、金融、スポーツ、芸能、文化、生活、社会など）及び地域ごとに分類して記憶するものである。読者データベース３６は、読者の氏名、年齢、家族構成、住所、販売店に加え、読者が所望する特定の情報、つまり、関心のある記事や広告をカテゴリ（政治、経済、金融、スポーツ、芸能、文化、生活、社会など）で分類して記憶するものである。また、カテゴリや読者情報などは上記したものに限定されるものではない。
【００３５】
また、第２制御部３３は、情報データベース３５の情報と読者データベース３６の情報とに基づいて読者が所望する特定の情報（記事や広告など）を選択し、索引を作成して自動レイアウトを行う印刷データ生成手段として機能する。そして、第２制御部３３は、自動レイアウトされた索引及び読者識別情報Ｃをプリンタ（デジタル印刷機本体）１２でデジタル印刷する。
【００３６】
発送システム１３は、オフセット輪転印刷機１１及びプリンタ１２に印刷された新聞の読者識別情報Ｃを読み取ることで、新聞を配送先別に仕分けするものである。そのため、この発送システム１３には、配送先別に仕分けされた新聞を搬送する複数のコンベヤ３７が配置されており、この各コンベヤ３７により新聞を各トラック３８に積み込むことができる。
【００３７】
ここで、上述した本実施例の印刷機による新聞の作成方法について詳細に説明する。
【００３８】
新聞の作成方法において、図１及び図２に示すように、オペレータは、操作パネル３４を操作し、制御装置３１（第１制御部３２）によりオフセット輪転印刷機１１を駆動制御し、新聞を印刷する。即ち、各給紙装置２１から印刷ユニット２２を構成する多色刷印刷ユニット２５や２色刷印刷ユニットと２６にウェブＷが供給されると、各印刷ユニットと２５，２６では、各ウェブＷに対して４色刷や２色刷が行われる。そして、各印刷ユニット２５，２６で印刷が施された複数のウェブＷは、ターンバー装置２３にて、走行ルートが変更されると共に、所定の順番に重ね合わせられる。そして、複数重ね合わされたウェブＷは、折機２４に搬送される。この折機２４では、図示しない三角板により縦折りが施された後、リードインローラやニッピングローラにより下方に送られ、折胴と鋸胴により横裁断され、一対の折込ローラにより挟持されることで折帖が形成され、羽根車により排紙コンベア上に排紙されて新聞が作成される。
【００３９】
このとき、新聞は、印刷ユニット２２により表紙における所定エリアが空白として印刷される。また、この場合、第１制御部３２では、新聞の印刷部数を管理しており、検査装置にて、印刷障害が発生したときやその他の理由で印刷物に問題があるとき、これをフィードバックして印刷部数の追加指令を出力する。
【００４０】
予め、編集作業として、情報データベース３５に、当日の記事や広告の原稿を作成すると共に、この記事や広告をカテゴリごとに分類し、更に、重要度（ポイント）を登録する。この場合、記事や広告を画像データとして記憶しておく。また、読者データベース３６に、読者の氏名、住所、販売店に加え、読者が所望する特定の情報、つまり、関心のある記事や広告をカテゴリ分類して記憶しておくことで印刷データの優先度付けも可能である。
【００４１】
そして、索引生成作業として、第２制御部３３は、情報データベース３５に記憶された記事や広告の原稿と、読者データベース３６に記憶された読者が関心のある記事や広告とを考慮し、選択した生地や広告の索引を自動レイアウトする。この場合、情報データベース３５に記憶された記事や広告の重要度にポイント付けをし、また、読者データベース３６に記憶された読者が関心のある記事や広告をカテゴリにポイント付けをし、両ポイントを掛け算して合計値の高いものから順に選択してその索引をレイアウトする。
【００４２】
このとき、情報データベース３５に、記事や広告の文章や画像だけでなく、記事の最新情報が存在するネットワークサイトのアドレスを指し示す識別子Ｂを記憶させておき、印刷データ生成作業時に、この識別子を自動レイアウトする。
【００４３】
続いて、オペレータは、新聞輪転機の運転に合わせて操作パネル３４を操作し、制御装置３１（第２制御部３３）により、オフセット輪転印刷機１１と並行してプリンタ１２を駆動制御し、新聞の表紙にて、印刷ユニット２２により空白に印刷された所定エリアに対する自動レイアウトされた索引の印刷を同時に行う。このとき、所定の空白エリアには、新聞名、読者の氏名、住所、読者が所望する記事や広告の索引に加えて、読者識別情報Ｃが記載される。
【００４４】
この場合、第２制御部３３では、索引部分の印刷部数を管理しており、検査装置にて、印刷障害が発生したときやその他の理由で印刷物に問題があるとき、これをフィードバックして印刷部数の追加指令を出力する。
【００４５】
オフセット輪転印刷機１１及びプリンタ１２により印刷された新聞は、図示しないキャリヤやコンベヤなどにより発送システム１５に搬送される。この発送システム１３にて、識別情報リーダにより新聞の表示に印刷された読者識別情報Ｃが読み取られ、読者データベース３６を参照することで、販売代理店と発送エリアが決定される。そして、各新聞が配送先別のコンベヤ３７に仕分され、販売代理店向けのスタックが生成され、所定の部数に達するとラベルが貼られ、所定の販売エリアへのトラック３８に積み込まれ、販売代理店に搬送される。
【００４６】
このように実施例１の印刷機にあっては、刷版を用いて所定の情報をウェブに印刷するオフセット輪転印刷機１１と、読者が所望する特定の情報及び読者識別情報Ｃをウェブ表面の特定箇所にデジタル印刷するプリンタ１２とを設け、オフセット輪転印刷機１１及びプリンタ１２は、制御装置３１により駆動制御可能となっている。
【００４７】
従って、オフセット輪転印刷機１１により表紙の所定エリアを除くエリアに記事や広告を印刷し、プリンタ１２により表紙の所定エリアに読者が所望する特定の記事や情報の索引と読者識別情報を印刷することから、新聞に全ての読者のための共通の情報を載せ、表紙の特定エリアに各読者のための個別の索引を載せればよく、新聞と索引を別の印刷機で印刷することで、オフセット輪転印刷機１１を停止することなく、読者にとっての印刷物の価値を向上すると共に、印刷物の生産性を向上することができる。また、表紙に読者識別情報を印刷することから、新聞と読者との対応を容易に取ることができ、配送作業などを簡素化することができる。
【００４８】
また、実施例１の印刷機では、プリンタ１２として、所定の記事や広告情報を分類して記憶する情報データベース３５と、読者が所望する特定の記事や広告の分類を記憶する読者データベース３６とを設け、第２制御部３３は、情報データベース３５の情報と読者データベース３６の情報とに基づいて所定の情報を選択して索引の自動レイアウトを行うようにしている。従って、索引のレイアウトを読者が所望する特定の情報に基づいて容易に行うことができ、編集作業の効率化を可能とすることができる。
【００４９】
また、実施例１の印刷機では、第２制御部３３は、レイアウトされた情報の詳細をネットワークを通して閲覧可能な識別子としての１次元または２次元バーコードを生成している。即ち、パーソナル化した記事または広告の一部として、各記事または広告の詳細情報、または、広告の発注を可能とするネットワークサイトのアドレスを意味するバーコードを合わせて印刷する。従って、読者は、携帯電話を含む読取装置を用いてバーコードを読み取り、このバーコードで指示されるネットワークに接続し、レイアウトされた情報の詳細を閲覧できる。そして、この詳細記事を収集したり、または、記事や広告などを発注することができ、印刷物の利便性や広告の誘引力を向上することができる。そして、この閲覧や発注の有無をネットワークサイトで記録することで、読者が関心を持つ分野を把握することが可能となり、その結果を読者データベース３６にフィードバックすることができる。
【００５０】
また、実施例１の印刷機では、読者が所望する特定の情報と読者識別情報Ｃをプリンタ１２でデジタル印刷し、この読者識別情報Ｃを読み取ることで、新聞を配送先別に仕分けする発送システム１３を設けている。従って、新聞の表紙に読者識別情報Ｃを印刷することから、新聞と読者との対応を容易に取ることができ、発送システム１３により読者識別情報Ｃを読み取ることで、容易に配送先別に仕分けすることができ、配送作業の作業性を向上することができる。
【００５１】
また、実施例１の印刷機では、印刷物を新聞とし、プリンタ１２は、表紙に読者が所望する記事及び広告の索引、読者識別情報を印刷しており、個人別やグループ別、地域別などの新聞を容易に作成することができ、提供する記事や広告のパーソナル化を可能とすることができる。
【実施例２】
【００５２】
図３は、本発明の実施例２に係る印刷機の要部を表す概略構成図である。なお、前述した実施例で説明したものと同様の機能を有する部材には同一の符号を付して重複する説明は省略する。
【００５３】
実施例２の印刷機は、図３に示すように、印刷物としての新聞を作成する印刷機に適用したものであり、この印刷機は、刷版を用いて所定の情報をウェブに印刷するオフセット輪転印刷機と、読者が所望する特定の情報及び読者識別情報Ｃをウェブ表面の特定箇所にデジタル印刷するプリンタ１２とを有している。そして、本実施例にて、プリンタ１２は、オフセット輪転印刷機における折機（折胴）より下流側に配置され、この折機により形成され、且つ、印刷速度から減速した状態の折帖（シート）に特定の情報（可変情報）を印刷するようにしている。
【００５４】
即ち、オフセット輪転印刷機の折機２４は、２つの折ユニット４１，４２を有している。この各折ユニット４１，４２は、ほぼ同様の構成をなしている。各折ユニット４１，４２において、最上部に、ターンバー装置で所定の順番に重ねられたウェブＷを搬入するドラグローラ４３ａ，４３ｂが設けられると共に、三角板４４ａ，４４ｂが設けられている。そして、この三角板４４ａ，４４ｂの下方に、リードインローラ４５ａ，４５ｂ、ニッピングローラ４６ａ，４６ｂ、ガイドローラ４７ａ，４７ｂ、ニッピングローラ４８ａ，４８ｂが設けられている。
【００５５】
ニッピングローラ４８ａ，４８ｂの下方には、折胴４９ａ，４９ｂと、縦折りされたウェブＷを横裁断する鋸胴５０ａ，５０ｂが対向して配設されている。そして、折胴４９ａ，４９ｂの下方には、一対の折込ローラ５１ａ，５１ｂが折胴４９ａ，４９ｂと同期回転可能に設けられており、図示しない折ブレードにより折胴４９ａ，４９ｂの周面から突出したウェブＷを挟持することで、折帖Ｓを形成することができる。この折込ローラ５１ａ，５１ｂの下方には、羽根車５２ａ，５２ｂが設けられると共に、この羽根車は５２ａ，５２ｂの下方には、排紙コンベア５３ａ，５３ｂが設けられている。羽根車は５２ａ，５２ｂは、周方向に複数の羽根を有しており、折込ローラ５１ａ，５１ｂに同期して回転することで、一対の折込ローラ５１ａ，５１ｂにより形成された折帖Ｓを各羽根により順次受取って排紙コンベア５３ａ，５３ｂ上に受け渡すことができる。
【００５６】
本実施例では、折込ローラ５１ａ，５１ｂより下流側であって、羽根車５２ａ，５２ｂより上流側に、プリンタ１２が配置されている。従って、このプリンタ１２は、折込ローラ５１ａ，５１ｂより形成された折帖Ｓに対して特定の情報を印刷する。この場合、折帖Ｓは、折機２４で搬送速度が減速されており、印刷ユニットを搬送されるウェブＷの走行速度（印刷速度）に比べて低速で走行する折帖Ｓに特定の情報を印刷することができる。
【００５７】
なお、ここでは、折込ローラ５１ａ，５１ｂより下流側であって、羽根車５２ａ，５２ｂより上流側に、プリンタ１２が配置したが、羽根車５２ａ，５２ｂより下流側であって、排紙コンベア５３ａ，５３ｂより上流側に、プリンタ１２を配置してもよい。
【００５８】
このように実施例２の印刷機にあっては、プリンタ１２を、オフセット輪転印刷機における折機より下流側に配置し、この折機により形成され、且つ、印刷速度から減速した状態の折帖に特定の情報を印刷するようにしている。印刷ユニットの直後にプリンタ１２を配置する場合に比べて、より低速で走行する折帖Ｓにプリンタ１２を用いた情報を印刷することができ、低速なプリンタ１２であってもインライン印刷を行うことができる。
【００５９】
即ち、折込ローラ５１ａ，５１ｂと羽根車５２ａ，５２ｂとの間にプリンタ１２を配置した場合、折帖Ｓの搬送速度は、印刷ユニット直後にプリンタ１２を配置した場合の２分の１であり、羽根車５２ａ，５２ｂと排紙コンベア５３ａ，５３ｂとの間にプリンタ１２を配置した場合、折帖Ｓの搬送速度は、印刷ユニット直後にプリンタ１２を配置した場合の１０の１以下となる。その結果、本実施例の配置の場合、低速の印刷速度で特定の情報を新聞本紙上に印刷することができ、印刷速度が低速であるプリンタでも適用することができる。
【００６０】
なお、上述した各実施例では、プリンタ１２により読者個別の索引を印刷したが、この場合、所定のグループ別の索引であったり、地域別の索引であってもよい。また、本実施例では、プリンタ１２により読者が所望する特定の情報の索引を新聞の表紙の特定箇所にデジタル印刷したが、索引に限らず、読者が所望する特定の情報の要約、広告の抜粋などであってもよい。更に、本実施例では、印刷物を新聞に適用して説明したが、新聞に限らず、広告や雑誌などに適用してもよい。
【産業上の利用可能性】
【００６１】
本発明に係る印刷機及び方法は、輪転印刷機により読者共通の情報を印刷すると共に、デジタル印刷機により読者が所望する特定の情報をデジタル印刷するものであり、いずれの印刷物を作成する印刷機にも適用することができる。
【図面の簡単な説明】
【００６２】
【図１】本発明の実施例１に係る印刷機を表す概略構成図である。
【図２】実施例１の印刷機における印刷物の作成方法を表すフローチャートである。
【図３】本発明の実施例２に係る印刷機の要部を表す概略構成図である。
【符号の説明】
【００６３】
１１  オフセット輪転印刷機
１２  プリンタ（デジタル印刷機）
１３  発送システム
２１  給紙装置
２２  印刷ユニット
２３  ターンバー装置
２４  折機
３１  制御装置
３２  第１制御部
３３  第２制御部
３４  操作パネル
３５  情報データベース
３６  読者データベース
４９ａ，４９ｂ  折胴
５１ａ，５１ｂ  折込ローラ
５２ａ，５２ｂ  羽根車
５３ａ，５３ｂ  排紙コンベア
【図１】
0005027698.tif 000002
【図２】
0005027698.tif 000003
【図３】
0005027698.tif 000004